(57)【要約】【課題】複数の描画画像が元の投写画像に重畳された状態において、簡単な操作で、一部の描画画像を非表示にすることが可能なプロジェクターを提供する。【解決手段】プロジェクター１は、描画画像のアイコン化操作を受け付けると（ステップＳ２０１）、選択された描画画像をアイコン化するためのアイコン情報を記憶手段２１に保存し（ステップＳ２０２）、描画画像をアイコン画像Ｉ１に置換して投写する（ステップＳ２０３）。【選択図】図６
2015106864.tif 000002
【特許請求の範囲】
【請求項１】
画像を表示する表示手段を備えた画像表示装置であって、
前記表示手段により表示された画像に対応する画像データ内において、指示体の入力に応じた描画データを生成し、描画させる描画手段と、
前記描画データを保存する記憶手段と、
前記記憶手段に保存された前記描画データのうち、選択された描画データを、所定のアイコン画像に置換して前記表示手段に表示させる制御手段と、
を備えることを特徴とする画像表示装置。
【請求項２】
請求項１に記載の画像表示装置であって、
前記指示体による操作状態を検出する指示体検出手段を備え、
前記制御手段は、前記指示体検出手段が前記指示体による所定の操作を検出した場合に、前記アイコン画像を元の前記描画データに置換して当該描画データに対応する画像を前記表示手段に表示させる、ことを特徴とする画像表示装置。
【請求項３】
請求項１または２に記載の画像表示装置であって、
前記制御手段は、複数の前記描画データを複数の前記アイコン画像に置換し、複数の前記アイコン画像が互いに重ならないように配置して前記表示手段に表示させる、
ことを特徴とする画像表示装置。
【請求項４】
光源から射出された光を画像情報に応じて変調し、変調した光を投写することにより画像を表示する表示手段を備えたプロジェクターであって、
前記表示手段により表示された画像に対応する画像データ内において、指示体の入力に応じた描画データを生成し、描画する描画手段と、
前記描画データを保存する記憶手段と、
前記記憶手段に保存された前記描画データのうち、選択された描画データを、所定のアイコン画像に置換して前記表示手段に表示させる制御手段と、
を備えることを特徴とするプロジェクター。
【請求項５】
画像を表示する表示手段を備えた画像表示装置の制御方法であって、
前記表示手段により表示された画像に対応する画像データ内において、指示体の入力に応じた描画データを生成し、描画する描画ステップと、
前記描画データを保存する記憶ステップと、
前記記憶ステップにより保存された前記描画データのうち、選択された描画データを、所定のアイコン画像に置換して前記表示手段に表示させる制御ステップと、
を備えることを特徴とする画像表示装置の制御方法。
【発明の詳細な説明】
【技術分野】
【０００１】
本発明は、画像を表示する画像表示装置、プロジェクター、および画像表示装置の制御方法に関する。
【背景技術】
【０００２】
従来、コンピューター等から出力される画像信号に基づく画像を、プロジェクター等の画像表示装置によってスクリーン等に表示するとともに、電子ペンを用いて投写画像に対して行ったユーザーの操作を、画像表示装置（プロジェクター）が検出し、ユーザーの操作に関する情報に基づく画像を生成して表示させる電子黒板システム（インタラクティブシステム）が提案されている（例えば、特許文献１）。
【先行技術文献】
【特許文献】
【０００３】
【特許文献１】特開２０１１−１４０１５４号公報
【発明の概要】
【発明が解決しようとする課題】
【０００４】
このような電子黒板システムでは、文字や図形等の画像を多く描画すると、元の投写画像が、描画された画像（以下、「描画画像」という）に隠れて見にくくなってしまうことがあった。このため、書き込む前の投写画像に戻してこの投写画像を確認したいことがある。しかしながら、特許文献１の電子黒板システムのような装置では、これらの描画画像を消去するには描画画像を一つずつ指定し、選択して消去しなければならない。また、消去した描画画像を元に戻して表示させる場合には、その描画画像をどこかに保存して呼び出す等の煩雑な操作が必要であった。
【課題を解決するための手段】
【０００５】
本発明は、上述の課題の少なくとも一部を解決するためになされたものであり、以下の形態または適用例として実現することが可能である。
【０００６】
［適用例１］本適用例に係る画像表示装置は、画像を表示する表示手段を備えた画像表示装置であって、前記表示手段により表示された画像に対応する画像データ内において、指示体の入力に応じた描画データを生成し、描画させる描画手段と、前記描画データを保存する記憶手段と、前記記憶手段に保存された前記描画データのうち、選択された描画データを、所定のアイコン画像に置換して前記表示手段に表示させる制御手段と、を備えることを特徴とする。
【０００７】
本適用例によれば、画像表示装置の表示画像上において、指示体によって描画された描画画像のうち、選択した描画画像をアイコン化するので、描画画像に隠れていた元画像の確認がしやすくなる。なお、描画画像をアイコン画像に置換することを「アイコン化する」と表現する。
【０００８】
［適用例２］上記適用例に記載の画像表示装置において、前記指示体による操作状態を検出する指示体検出手段を備え、前記制御手段は、前記指示体検出手段が前記指示体による所定の操作を検出した場合に、前記アイコン画像を元の前記描画データに置換して当該描画データに対応する画像を前記表示手段に表示させる、ことが好ましい。
【０００９】
本適用例によれば、指示体の所定操作により、アイコン化したアイコン画像を元の描画画像に戻すので、描画前後の画像を容易に比較することができる。
【００１０】
［適用例３］上記適用例に記載の画像表示装置において、前記制御手段は、複数の前記描画データを複数の前記アイコン画像に置換し、複数の前記アイコン画像が互いに重ならないように配置して前記表示手段に表示させる、ことが好ましい。
【００１１】
本適用例によれば、選択した描画画像をアイコン化する際に、複数のアイコン画像が隣接する場合でも重ならないように配置するので、アイコン化したアイコン画像が他のアイコン画像に隠れてしまうのを防止することができる。
【００１２】
［適用例４］本適用例に係るプロジェクターは、光源から射出された光を画像情報に応じて変調し、変調した光を投写することにより画像を表示する表示手段を備えたプロジェクターであって、前記表示手段により表示された画像に対応する画像データ内において、指示体の入力に応じた描画データを生成し、描画する描画手段と、前記描画データを保存する記憶手段と、前記記憶手段に保存された前記描画データのうち、選択された描画データを、所定のアイコン画像に置換して前記表示手段に表示させる制御手段と、を備えることを特徴とする。
【００１３】
本適用例によれば、プロジェクターが投写した投写画像上において、指示体によって描画された描画画像のうち、選択した描画画像をアイコン化するので、描画画像に隠れていた元の投写画像の確認がしやすくなる。
【００１４】
［適用例５］本適用例に係る画像表示装置の制御方法は、画像を表示する表示手段を備えた画像表示装置の制御方法であって、前記表示手段により表示された画像に対応する画像データ内において、指示体の入力に応じた描画データを生成し、描画する描画ステップと、前記描画データを保存する記憶ステップと、前記記憶ステップにより保存された前記描画データのうち、選択された描画データを、所定のアイコン画像に置換して前記表示手段に表示させる制御ステップと、を備えることを特徴とする。
【００１５】
本適用例によれば、画像表示装置の表示画像上において、指示体によって描画された描画画像のうち、選択した描画画像をアイコン化するので、描画画像に隠れていた元の画像の確認がしやすくなる。
【図面の簡単な説明】
【００１６】
【図１】プロジェクターの使用形態を示す説明図。
【図２】電子ペンの外観図。
【図３】プロジェクターの回路構成を示すブロック図。
【図４】描画画像のアイコン化表示時の画面遷移を示す図。
【図５】アイコン画像の例を示す図。
【図６】プロジェクターの動作を示すフローチャート。
【発明を実施するための形態】
【００１７】
以下、図面を参照して本発明の一実施形態である画像表示装置としてのプロジェクターについて説明する。
なお、以下の実施形態は特許請求の範囲にかかる発明を限定するものではなく、また、実施形態における特徴の組み合わせの全てが発明の解決手段に必須であるとは限らない。
【００１８】
（実施形態）
図１は本実施形態のプロジェクター１の使用形態を示す説明図である。
図１に示すように、プロジェクター１はユーザーＨの頭上に天吊り設置され、ユーザーＨはプロジェクター１が画像を投写する投写面ＳＣ上で電子ペン４０を使って描画操作を行う。プロジェクター１は、後で説明するペン操作検出手段２５（図３参照）により電子ペン４０が指し示す位置等の操作情報を検出する。そしてプロジェクター１は、操作情報に基づく描画データを投写画像Ｇ１に対応する画像データに合成し、合成した画像データに対応する描画画像Ｄ１を投写面ＳＣに投写する。
なお、投写面ＳＣ上には図示しないツールパレットが表示され、ペン先スイッチでツールパレット上の操作ボタンを押下することで、描画画像の作成、アイコン化等の所望の操作を行う。
【００１９】
図２は電子ペン４０の外観図である。
図２に示すように、電子ペン４０は、先端が尖ったペン型の筐体４０Ａと、筐体４０Ａの先端に設けられたペン先スイッチ４０Ｂと、赤外光を発する発光部４０Ｃとを備えている。プロジェクター１は、後述するペン操作検出手段２５が赤外光を撮像し、電子ペン４０の操作位置を検出する。本実施形態においては電子ペン４０が指示体に相当する。
【００２０】
図３は本実施形態のプロジェクター１の回路構成を示すブロック図である。
図３に示すように、プロジェクター１は、画像入力端子６、画像投写手段１０、ＯＳＤ処理手段１６、画像信号処理手段１７、画像信号入力手段１８、制御手段２０、記憶手段２１、光源制御手段２２、入力操作手段２３、ペン操作検出手段２５、電源端子３０、電源部３１等で構成されており、これらは図示しないプロジェクター１の筐体の内部、または外面に収容されている。
【００２１】
画像投写手段１０は、光源１１、光変調装置としての３つの液晶ライトバルブ１２Ｒ，１２Ｇ，１２Ｂ、投写光学系としての投写レンズ１３、液晶駆動手段１４等を含んでいる。画像投写手段１０は、光源１１から射出された光を、画像情報に応じて液晶ライトバルブ１２Ｒ，１２Ｇ，１２Ｂで変調し、変調した光を投写レンズ１３から投写することによって投写面ＳＣ等に画像を表示する。画像投写手段１０は、表示手段に相当する。
【００２２】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ），緑色（Ｇ），青色（Ｂ）の各色光成分に分離された後、それぞれ液晶ライトバルブ１２Ｒ，１２Ｇ，１２Ｂに入射する。
【００２３】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、複数の画素がマトリックス状に配列された画像形成領域（図示せず）が形成されており、液晶に対して画素毎に駆動電圧を印加可能になっている。
液晶駆動手段１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によって投写面ＳＣ等に拡大投写される。
【００２４】
本実施形態では、光源１１として光源ランプ１１ａを用いて投写するプロジェクター１を例示したが、本発明は光源としてＬＥＤ（Light emitting diode）光源やレーザー光源等を用いて投写するプロジェクターにも適用することができる。
【００２５】
なお、本実施形態では、画像投写手段１０は、３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）等、他の表示方式の光変調装置を採用しても良い。
【００２６】
画像信号入力手段１８は、複数の画像入力端子６より、ビデオ再生装置やパーソナルコンピューター等、外部の画像出力装置から、図示しないケーブル、又は通信機器等を介して画像情報が入力される。入力された画像情報は、制御手段２０の指示に基づき、画像信号処理手段１７に出力される。なお、画像信号入力手段１８は、無線通信や光通信等の受信部を備え、外部機器から無線によって画像信号を入力する構成にしてもよい。
【００２７】
画像信号処理手段１７は、制御手段２０の指示に基づき、画像信号入力手段１８から入力される画像情報を、液晶ライトバルブ１２Ｒ，１２Ｇ，１２Ｂの各画素の階調を表す画像情報に変換する。ここで、変換された画像情報は、赤（Ｒ），緑（Ｇ），青（Ｂ）の色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。
【００２８】
ＯＳＤ処理手段１６は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像情報を記憶している。
【００２９】
制御手段２０が、ＯＳＤ画像の重畳表示を指示すると、ＯＳＤ処理手段１６は、必要なＯＳＤ画像情報をＯＳＤメモリーから読み出し、投写画像上の所定の位置にＯＳＤ画像が重畳されるように、画像信号処理手段１７から入力される画像情報にこのＯＳＤ画像情報を合成する。ＯＳＤ画像情報が合成された画像情報は、液晶駆動手段１４に出力される。
なお、制御手段２０からＯＳＤ画像を重畳する旨の指示がない場合には、ＯＳＤ処理手段１６は、画像信号処理手段１７から入力される画像情報を、そのまま液晶駆動手段１４に出力する。
【００３０】
液晶駆動手段１４がＯＳＤ処理手段１６から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が投写レンズ１３から投写される。
【００３１】
制御手段２０は、ＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。制御手段２０は、描画手段としても動作し、ペン操作検出手段２５が検出した電子ペン４０の位置情報に基づく描画データを記憶手段２１に保存し、画像投写手段１０により画像データに重畳させて投写させる。また、制御手段２０は、記憶手段２１に保存した描画データのうち、選択した描画データを所定のアイコン画像に置換して投写させる制御を行う。
【００３２】
記憶手段２１は、フラッシュメモリーやＦｅＲＡＭ等の書き換え可能な不揮発性のメモリーにより構成されており、プロジェクター１の動作を制御するための制御プログラムや、プロジェクター１の動作条件等を規定する各種設定データ等が記憶されている。記憶手段２１は電子ペン４０による描画データやアイコン化する描画データ、アイコンの位置、アイコン化されているか、または描画画像に戻されているかを示すアイコン化状態等のアイコン情報等が記憶される。
【００３３】
光源制御手段２２は、制御手段２０の指示に基づいて、光源１１に対する電力の供給と停止とを制御し、光源１１の点灯及び消灯を切り替える。
【００３４】
入力操作手段２３は、図示は省略するが、ユーザーがプロジェクター１に対して各種指示を行うための複数の操作キーを備え、プロジェクター１の筐体（図示せず）の外面に備えられる本体キーで構成される。
【００３５】
入力操作手段２３が備える操作キーとしては、電源のオン・オフを交互に切り替えるための電源キーや、複数の画像入力端子６を切り替えるための入力切替キー、設定メニュー等を重畳表示させるためのメニューキー、設定メニュー等で項目の選択に用いられる方向キー（上下左右に対応する４つの操作キー）、選択された項目を確定させる決定キー、動作の取り消し等を行うための取消キー等がある。
【００３６】
ユーザーが入力操作手段２３の各種操作キーを操作すると、入力操作手段２３は、ユーザーの操作内容に応じた操作信号を制御手段２０に出力する。なお、入力操作手段２３は、リモートコントローラー（リモコン）信号受信手段（図示せず）と遠隔操作が可能なリモートコントローラー（図示せず）を有した構成としてもよい。この場合、リモートコントローラーは、ユーザーの操作内容に応じた赤外線等の操作信号を発し、リモコン信号受信手段がこれを受信して制御情報として制御手段２０に伝達する。
【００３７】
ペン操作検出手段２５は、図示しない撮像素子等で構成され、制御手段２０の指示に基づいて、電子ペン４０の操作位置（座標）、およびペン先スイッチ４０Ｂ（図２参照）の押下状態等のペン操作状態を検出し、検出したペン操作情報を制御手段２０に通知する。ペン操作検出手段２５は、指示体検出手段に相当する。
【００３８】
電源部３１には、ＡＣ１００Ｖ等の電力が電源端子３０を介して外部から供給される。電源部３１は、例えば、商用電源（交流電源）を所定の電圧の直流電源に変換して、プロジェクター１の各部に変換した電力を供給する。また、電源部３１は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００３９】
次に本実施形態に係るプロジェクター１の、描画画像をアイコン化する場合の投写画像の表示例を、図４の画面遷移図を用いて説明する。
【００４０】
図４（ａ）に示すように、投写面ＳＣには、描画前に投写された投写画像Ｇ１に複数の描画画像Ｄ１，Ｄ２，Ｄ３が重畳して表示されている。図４の例では左下原点の折れ線グラフ、および左上の時計画像が投写画像Ｇ１であり、それ以外の曲線と手書き文字が描画画像Ｄ１，Ｄ２，Ｄ３に相当する。
描画画像Ｄ１，Ｄ２，Ｄ３は、それぞれが１つ以上の描画線を含んで構成される。図４（ａ）に示す状態において、描画画像Ｄ１，Ｄ２，Ｄ３をアイコン化する操作を行うと、図４（ｂ）の投写状態に遷移する。
【００４１】
図４（ｂ）に示すように、図４（ａ）の表示から描画画像Ｄ１，Ｄ２，Ｄ３がそれぞれアイコン画像Ｉ１，Ｉ２，Ｉ３に置換されて投写される。図４（ｂ）に示す状態から、アイコン画像Ｉ２だけ元の描画画像Ｄ２に戻す操作を行うと、図４（ｃ）に示す状態に遷移する。
【００４２】
図４（ｃ）に示すように、図４（ｂ）の表示からアイコン画像Ｉ２が描画画像Ｄ２に置換されて投写される。
【００４３】
なお、描画画像をアイコン画像にする（アイコン化する）操作は、例えば図示しないツールボックスからアイコン化ボタンを押下し、描画画像を選択する、等の方法がある。また、アイコン画像を元の描画画像に戻す操作としてはアイコン画像を電子ペン４０で押下する、描画画像を再度アイコン化する場合はツールボックスから再アイコン化ボタンを押下する、等の方法がある。
【００４４】
図５にアイコン画像の例を示す。図５に示すように、アイコン画像Ｉ１は角が丸い矩形画像にペンの形を示す画像、および描画画像に対応する番号（図５では「１」）が表示されている。
【００４５】
次に、本実施形態のプロジェクター１の動作を図６のフローチャートを用いて説明する。
図６はプロジェクター１の動作を示すフローチャートであり、（ａ）は描画操作を受け付けたときの動作、（ｂ）は描画画像のアイコン化操作を受け付けたときの動作、（ｃ）はアイコン画像を描画画像に復元する操作を受け付けたときの動作を示す。
【００４６】
［描画操作を受け付けたときの動作］
図６（ａ）に示すように、プロジェクター１が動作中に、電子ペン４０による描画操作を受け付けると（ステップＳ１０１）、ステップＳ１０２に遷移する。ステップＳ１０２において、制御手段２０は、ペン操作検出手段２５が受け付けた電子ペン４０の操作に基づく描画データを生成し、描画データに対応する描画画像を投写面ＳＣに投写させ、ステップＳ１０３に遷移する。ステップＳ１０２が描画ステップに相当する。
【００４７】
ステップＳ１０３において制御手段２０は、ステップＳ１０２において生成した描画データを記憶手段２１に保存し、ステップＳ１０４に遷移する。ステップＳ１０３が記憶ステップに相当する。
【００４８】
ステップＳ１０４において本動作フローを終了し、元の処理に戻る。
【００４９】
［描画画像のアイコン化操作を受け付けたときの動作］
図６（ｂ）に示すように、プロジェクター１が動作中に、電子ペン４０の操作による描画画像のアイコン化操作を受け付けると（ステップＳ２０１）、ステップＳ２０２に遷移する。
【００５０】
ステップＳ２０２において制御手段２０は、投写面ＳＣ上の描画画像のうち、アイコン化する描画画像を選択する操作を受け付け、次に選択した描画画像に対応する描画データのアイコン情報（描画データ、アイコンの表示位置）を記憶手段２１に保存する。このとき、他のアイコン情報を調べ、表示位置が重ならないような表示位置に設定する。次にステップＳ２０３に遷移する。
【００５１】
ステップＳ２０３において制御手段２０は、ステップＳ２０２において選択した描画画像を、生成したアイコン情報に基づき、アイコン画像に置換して投写面ＳＣに投写させる。このときのアイコン化された画像としては、例えば、前述した図４（ｂ）に示すアイコン画像Ｉ１，Ｉ２，Ｉ３や、図５に示すアイコン画像Ｉ１がある。次にステップＳ２０４に遷移する。ステップＳ２０２からステップＳ２０３が制御ステップに相当する。
【００５２】
ステップＳ２０４において本動作フローを終了し、元の処理に戻る。
【００５３】
［アイコン画像の復元操作を受け付けたときの動作］
図６（ｃ）に示すように、プロジェクター１が動作中に電子ペン４０によるアイコン画像を描画画像に復元する操作を受け付けると（ステップＳ３０１）、ステップＳ３０２に遷移する。
【００５４】
ステップＳ３０２において制御手段２０は、記憶手段２１よりアイコン画像に対応する描画データを読出し、描画画像に復元するアイコン画像の情報を取得する。次にステップＳ３０３に遷移する。
【００５５】
ステップＳ３０３において制御手段２０は、ステップＳ３０２において取得したアイコン情報に基づき、アイコン画像を描画画像に置換して投写面ＳＣに投写させ、ステップＳ３０４に遷移する。
【００５６】
ステップＳ３０４において本動作フローを終了し、元の処理に戻る。
【００５７】
上述した実施形態によれば、以下の効果を得られる。
本実施形態のプロジェクター１によれば、画像投写手段１０が投写した投写画像上において、電子ペン４０によって描画された描画画像のうち、選択した描画画像を所定の操作により、アイコン画像に置換し、また、元の描画画像に戻すことにより、描画画像に隠れていた元の投写画像の確認がしやすくなり描画前後の画像を容易に比較することができる。
【００５８】
また、選択した描画画像をアイコン化する際に、複数のアイコン画像が隣接する場合でも重ならないように配置できるので、アイコン化したアイコン画像が他のアイコン画像に隠れてしまうのを防止することができる。
【００５９】
また、本実施形態は、以下のように変更してもよい。
（変形例１）
前記実施形態において、描画画像を置換したアイコン画像をユーザーの操作により、投写面ＳＣ上の任意の位置に移動するようにしてもよい。
【００６０】
（変形例２）
前記実施形態では、指示体は、赤外光を発する電子ペン４０としたが、このような電子ペンに限定するものではない。例えば、可視光を発する指示体としてもよいし、無線通信用電波等を利用するようにしてもよい。また、指示体は、ユーザーの指であってもよい。
【００６１】
（変形例３）
前記実施形態では、画像表示装置としてインタラクティブ機能を有するプロジェクター１を例にして説明しているが、プロジェクターに限定するものではない。表示手段としての表示部を備え、この表示部に表示される画像に対する入力操作を検出するタッチパネル等を有する画像表示装置であれば、適用することが可能である。例えば、透過型のスクリーンを一体的に備えたリアプロジェクター、液晶ディスプレイ、プラズマディスプレイ、有機ＥＬ（Electro Luminescence）ディスプレイ等に適用することも可能である。
【符号の説明】
【００６２】
１…プロジェクター、６…画像入力端子、１０…画像投写手段、１１…光源、１２Ｒ，１２Ｇ，１２Ｂ…液晶ライトバルブ、１３…投写レンズ、１４…液晶駆動手段、１６…ＯＳＤ処理手段、１７…画像信号処理手段、１８…画像信号入力手段、２０…制御手段、２１…記憶手段、２２…光源制御手段、２３…入力操作手段、２５…ペン操作検出手段、３０…電源端子、３１…電源部、４０…電子ペン、４０Ａ…筐体、４０Ｂ…ペン先スイッチ、４０Ｃ…発光部、Ｇ１…投写画像、Ｄ１，Ｄ２，Ｄ３…描画画像、Ｉ１…アイコン画像、ＳＣ…投写面。
【図１】
2015106864.tif 000003
【図２】
2015106864.tif 000004
【図３】
2015106864.tif 000005
【図４】
2015106864.tif 000006
【図５】
2015106864.tif 000007
【図６】
2015106864.tif 000008